(57)【要約】【課題】  従来の飲料容器ホルダは畳んだ時にエアコン吹出口からの突出長さを短くし、かつ飲料容器を安定して保持できるようにしたものはなかった。【解決手段】  本発明の飲料容器ホルダは、容器を載置せしめる底部と容器の側面を支える背面部とからなるホルダ本体と、上記ホルダ本体の底部にその基部を傾動自在に枢支せしめたアーム部材と、上記アーム部材の上部に設けた、容器の他側面を保持する前面部と、上記アーム部材の下部分に設けた補助底部と、上記補助底部が水平となる位置で上記アーム部材の傾動を阻止する傾動阻止部とより成る。上記補助底部は上記アーム部材に対して傾動自在である。上記アーム部材と上記補助底部との間に物品挿入の穴が形成されている。上記ホルダ本体と上記補助底部とを接続するバネを有し、このバネが上記アーム部材によって偏位される。【選択図】  図１
2005247040.tif 000002
【特許請求の範囲】
【請求項１】
容器を載置せしめる底部と容器の側面を支える背面部とからなるホルダ本体と、上記ホルダ本体の底部にその基部を傾動自在に枢支せしめたアーム部材と、上記アーム部材の上部に設けた、容器の他側面を保持する前面部と、上記アーム部材の下部分に設けた補助底部と、上記補助底部が水平となる位置で上記アーム部材の傾動を阻止する傾動阻止部とより成ることを特徴とする飲料容器ホルダ。
【請求項２】
上記補助底部が上記アーム部材に対して傾動自在であることを特徴とする請求項１記載の飲料容器ホルダ。
【請求項３】
上記アーム部材と上記補助底部との間に物品挿入の穴が形成されていることを特徴とする請求項１または２記載の飲料容器ホルダ。
【請求項４】
上記ホルダ本体と上記補助底部とを接続するバネを有し、このバネが上記アーム部材によって偏位されることを特徴とする請求項１、２または３記載の飲料容器ホルダ。
【発明の詳細な説明】
【技術分野】
【０００１】
本発明は飲料容器ホルダ、特に自動車等のエアコン吹出口に取り付けるドリンク缶などの飲料容器を保持する容器ホルダに関するものである。
【背景技術】
【０００２】
従来、ドリンク缶などの飲料容器を保持しない場合に、容器ホルダを折り畳んで小さくできるようにしたものがあり、このような容器ホルダとしては特許文献１に示すようなものがある。
【特許文献１】実開平６−９０９号公報（図１）
【０００３】
図９及び図１０は上記従来の飲料容器ホルダを示し、１は上部を開口できるホルダ本体を示し、飲料容器２を載せる底部３と飲料容器２の側面を支える背面部４と左右の側面板５，５とから成る。６は上記ホルダ本体１の背面部４に設けた、エアコン吹出口（図示せず）のルーバーに固定するためのクリップなどのエアコン吹出口取付具、７はその基部を上記ホルダ本体１の側面板５の前側下部に回転自在に枢支した、上記ホルダ本体１の前面開口部を塞ぐ部分８と上記ホルダ本体１の上部開口部を塞ぐ部分９よりなるＬ字状のカバー、１０は上記カバー７の部分８に設けた吹出口、１１は上記カバー７の部分９に設けた吹出口である。
【０００４】
上記従来の飲料容器ホルダにおいては、飲料容器２を保持する場合には、上記カバー７を開き、その開口から飲料容器２を挿入して上記底部３に載置し、上記ホルダ本体１の背面部４と上記カバー７の上端縁内側とで上記飲料容器２を挟持せしめて、飲料容器２を保持している。
【０００５】
また、飲料容器２を保持しない場合には、上記カバー７を閉じて上記カバー７の部分８と部分９により上記ホルダー本体１の前面及び上部の開口部を塞ぐようにすれば、飲料容器ホルダのエアコン吹出口からの突出長さを小さくすることができる。
【発明の開示】
【発明が解決しようとする課題】
【０００６】
然しながら、上記従来の飲料容器ホルダにおいては、上記ホルダ本体１の底部３が小さいので、底部３に載置した飲料容器の安定感が小さい。
【０００７】
また、図１１に示すように、カバー７の部分９の長さＡを短くすると、折り畳んだときの飲料容器ホルダのエアコン吹出口からの突出長さを短くできるが、カバー７を開いて飲料容器２を保持しようとする時に、飲料容器２の上部ではなく下部を上記ホルダ本体１の背面部４とカバー本体７の上端縁内側とで挟持することとなり、飲料容器２を安定して保持することができない。また、図９に示すように、カバー７の部分９の長さＡを長くすると、折り畳んだときの飲料容器ホルダのエアコン吹出口からの突出長さが大きくなってしまうという欠点があった。
【０００８】
本発明は上記のような欠点を除くようにしたものである。
【課題を解決するための手段】
【０００９】
本発明は畳んだ時にエアコン吹出口からの突出長さを短くし、かつ飲料容器を安定して保持できるようにした飲料容器ホルダを提供するものである。
【００１０】
本発明の飲料容器ホルダは、容器を載置せしめる底部と容器の側面を支える背面部とからなるホルダ本体と、上記ホルダ本体の底部にその基部を傾動自在に枢支せしめたアーム部材と、上記アーム部材の上部に設けた、容器の他側面を保持する前面部と、上記アーム部材の下部分に設けた補助底部と、上記補助底部が水平となる位置で上記アーム部材の傾動を阻止する傾動阻止部とより成ることを特徴とする。
【００１１】
上記補助底部は、上記アーム部材に対して傾動自在であることを特徴とする。
【００１２】
上記アーム部材と上記補助底部との間に物品挿入の穴が形成されていることを特徴とする。
【００１３】
上記ホルダ本体と上記補助底部とを接続するバネを有し、このバネが上記アーム部材によって偏位されることを特徴とする。
【発明の効果】
【００１４】
本発明の飲料容器ホルダによれば飲料容器を安定して保持できると共に、折り畳んだ時にエアコン吹出口からの突出長さを小さくすることができる。
【００１５】
また、折り畳んだ時に物品入れとして利用することができるスペースを確保できるという大きな利益がある。
【発明を実施するための最良の形態】
【００１６】
以下図面によって本発明の実施例を説明する。
【実施例１】
【００１７】
本発明の飲料容器ホルダは図１〜図５に示すように、飲料容器２を載せる底部３と飲料容器の側面を支える背面部４と左右の側面板５，５とから成る上部を開口できるホルダ本体１と、上記ホルダ本体１の底部にその基部を夫々傾動自在に枢支した、上記側面板５の上面に当接可能な上部分１２と上記側面板５の前面に当接可能な下部分１３とよりなるＬ字状のアーム部材１４，１４と、上記アーム部材１４，１４の上端間に横架した容器前面保持部１５と、上記Ｌ字状のアーム部材１４の下部分１３を図２に示すように上記ホルダ本体１の側面板５の前面に当接した状態から、図１に示すように傾動せしめて、上記Ｌ字状のアーム部材１４の下部分１３が水平となる前、例えば、上記下部分１３が水平から１５度〜４５度、好ましくは３０度の角度となるところで、その傾動を阻止せしめるストッパー部１６と、上記Ｌ字状のアーム部材１４の基部にその基部を固定した、上記Ｌ字状のアーム部材１４の下部分１３から例えば１５度〜４５度、好ましくは３０度下方に傾斜せしめた補助底部１７と、エアコン吹出口（図示せず）のルーバーに固定するため上記ホルダ本体１の背面部４に設けたクリップなどのエアコン吹出口取付具６と、その端部をエアコン吹出口の下部に当接せしめてエアコン吹出口に対し上記ホルダ本体１の傾斜角度を任意に調整するため上記ホルダ本体１の底部３に前後方向にスライド自在に設けた当接板１８とにより構成する。
【００１８】
また、上記容器前面保持部１５は図６に示すように板部材１９と、飲料容器２を保持するため、上記板部材１９の内側に上下に傾動自在に設けた、その先端に円弧状の溝を有する保持片２０により構成する。
【００１９】
また、上記ストッパー部１６は図５に示すように、上記アーム部材１４の基部上面に設けた凸部２２と、上記ホルダ本体１の側面板５の前側下部に設けた、上記凸部２２の回動を阻止するストッパー２３とにより構成する。
【００２０】
本発明の飲料容器ホルダにおいては、上記アーム部材１４を上記ストッパー部１６によりその傾動が阻止されるまで前方外方に傾動せしめて上部を開口すれば、上記補助底部１７が水平位置となるので、飲料容器２を入れ、上記ホルダ本体１の底部３と上記補助底部１７に載置せしめ、上記背面部４と上記容器前面保持部１５の保持片２０により挟持して、飲料容器２を保持せしめる。
【００２１】
また、上記Ｌ字状のアーム部材１４の下部分１３は水平から１５度〜４５度、好ましくは３０度傾斜した位置でその傾動が阻止されるから、上記アーム部材１４の容器前面保持部１５は高い位置で停止することになり、飲料容器の高い位置を挟持せしめることができる。
【００２２】
また、飲料容器２を保持しない場合には、図２に示すように上記アーム部材１４を後方上方に傾動せしめて、上記ホルダ本体１の側面板５の上面及び前面に当接せしめれば、容器ホルダのエアコン吹出口からの突出長さを小さくすることができる。
【００２３】
なお、上記のように容器ホルダを畳んだときに上記アーム部材１４と上記補助底部１７との間に形成される開口２４に携帯電話やタバコなどの物品を挿入できるようにしてもよい。
【実施例２】
【００２４】
本発明の第２の実施例においては、上記第１実施例における補助底部１７の基部を上記アーム部材１４の基部に対して傾動自在に枢支せしめ、図７に示すように、上記補助底部１７を上記アーム部材１４の下部分１３に重なるよう折り畳めるようにする。
【００２５】
この実施例によれば、飲料容器２を保持しない場合には、図２に示すように上記アーム部材１４を傾動せしめて、上記ホルダ本体１の側面板５の上面及び前面に当接せしめ、更に上記補助底部１７を折り畳めば、容器ホルダのエアコン吹出口からの突出長さＡを小さくすることができる。
【実施例３】
【００２６】
本発明の第３の実施例においては図８に示すように上記アーム部材１４の下部分１３に窓孔２５を形成し、上記補助底部１７からこの窓孔２５に挿通される袖片２６を突設し、一端を上記ホルダ本体１の側面板５に固定し、他端を上記袖片２６に固定せしめたつる巻バネ２７を用い、上記補助底部１７を常時水平位置に抑制せしめると共に、上記アーム部材１４を図２に示すように折り畳んだ場合、上記アーム部材１４の下部分１３が上記袖片２６の上部に係合して上記バネ２７に抗して上記補助底部１７を上方に回動せしめるようにする。
【００２７】
この実施例によれば、上記アーム部材１４を折り畳んだ際上記補助底部１７も共に折り畳まれるようになる。
【００２８】
なお、上記補助底部１７を図２に示す状態から、更に上記アーム部材１４の下部分１３に重なるように押した場合、上記つる巻バネ２７のつる巻部分がその死点を越えて移動されるようにすれば、上記補助底部１７を上記バネ２７の作用で上記アーム部材１４の下部分１３に弾発的に重ね得るようになる。
【図面の簡単な説明】
【００２９】
【図１】本発明の飲料容器ホルダのアーム部材を開いた状態の側面図である。
【図２】本発明の飲料容器ホルダのアーム部材を閉じた状態の側面図である。
【図３】図１に示す飲料容器ホルダの縦断側面図である。
【図４】図２に示す飲料容器ホルダの縦断側面図である。
【図５】本発明の飲料容器ホルダのストッパー部の詳細図である。
【図６】図１の飲料容器ホルダの平面図である。
【図７】本発明の飲料容器ホルダの他の実施例の補助底部を閉じた状態の側面図である。
【図８】本発明の更に他の実施例説明図である。
【図９】従来の飲料容器ホルダの斜視図である。
【図１０】従来の飲料容器ホルダの縦断側面図である。
【図１１】従来の飲料容器ホルダの説明用側面図である。
【符号の説明】
【００３０】
１  ホルダ本体
２  飲料容器
３  底部
４  背面部
５  側面板
６  エアコン吹出口取付具
７  カバー
８  塞ぐ部分
９  塞ぐ部分
１０  吹出口
１１  吹出口
１２  上部分
１３  下部分
１４  アーム部材
１５  容器前面保持部
１６  ストッパー部
１７  補助底部
１８  当接板
１９  板部材
２０  保持片
２２  凸部
２３  ストッパー
２４  開口
２５  窓孔
２６  袖片
２７  つる巻バネ
【図１】
2005247040.tif 000003
【図２】
2005247040.tif 000004
【図３】
2005247040.tif 000005
【図４】
2005247040.tif 000006
【図５】
2005247040.tif 000007
【図６】
2005247040.tif 000008
【図７】
2005247040.tif 000009
【図８】
2005247040.tif 000010
【図９】
2005247040.tif 000011
【図１０】
2005247040.tif 000012
【図１１】
2005247040.tif 000013